(57)【要約】【課題】各種の食品が店頭にて販売するためパック詰めされるとき、パック詰めされた食品等が一覧的に視認できるように立たせて陳列できるようにする。【解決手段】平面から見て適宜な幅員の短辺を備えた縦長状の開口部に補強フランジ２を有する容器本体１を形成する。この容器本体１の底部におけるいずれか一方の短辺側に沿って、短辺の幅員に相当する幅員で外方に突出させた立脚支持部４を形成すると共に、この立脚支持部４を形成した短辺側の側壁に容器本体１の内方側に窪ませた立脚補助支持部５の上下縁を鈍角状の接地端６として形成し、補強フランジ２の縁部、上下の接地端６、立脚支持部４の底角部外側縁の４点を同一の線上に配列する。立脚支持部４、立脚補助支持部５は、容器本体１の幅員方向における底部幅員、側壁幅員とほぼ同幅員とする。【選択図】図２
2020196519.tif 000002
【特許請求の範囲】
【請求項１】
平面から見て適宜な幅員の短辺を備えた縦長状の開口部に補強フランジを有する容器本体を形成し、この容器本体の底部におけるいずれか一方の短辺側に沿って、短辺の幅員に相当する幅員で外方に突出させた立脚支持部を形成すると共に、この立脚支持部を形成した短辺側の側壁に容器本体の内方側に窪ませた立脚補助支持部の上下縁を鈍角状の接地端として形成し、補強フランジの縁部、上下の接地端、立脚支持部の底角部外側縁の４点を同一の線上に配列してあることを特徴とする立て置き可能な食品包装容器。
【請求項２】
容器本体の開口部は、短辺の両隅部を斜状に面取りすることで縦長八角形状に形成されている請求項１に記載の立て置き可能な食品包装容器。
【請求項３】
立脚補助支持部は、短辺側の側壁それぞれに対称的に配置形成してある請求項１または２に記載の立て置き可能な食品包装容器。
【請求項４】
立脚補助支持部は、断面で円弧状に彎曲形成してある請求項１乃至３のいずれかに記載の立て置き可能な食品包装容器。
【請求項５】
立脚支持部、立脚補助支持部は、容器本体の幅員方向における底部幅員、側壁幅員とほぼ同幅員として形成してある請求項１乃至４のいずれかに記載の立て置き可能な食品包装容器。
【発明の詳細な説明】
【技術分野】
【０００１】
本発明は、例えば各種の食品を店頭にて販売するためパック詰めされるとき、パック詰めされた食品等が一覧的に視認できるように立たせて陳列できるようにした立て置き可能な食品包装容器に関する。
【背景技術】
【０００２】
従来から、スーパーマーケット、コンビニエンスストア等で各種の食品を陳列販売するとき、透明な容器に所定量で詰め合わせてパック詰めすることで商品棚等に並べている。その多くは、複数段状に構成されている陳列棚それぞれに並べられているところ、パック詰めされた商品それぞれを購買者が視認できるように平棚であれば重ねられることでも、上段位置の棚板上に並べた場合は商品内容を簡単には確認できない。そのためには、例えば棚板自体を傾斜させることで棚板上の容器内の商品内容をそのまま見ることができるようにしている。
【０００３】
また、陳列販売する商品が例えばマスカット、巨峰等の葡萄である場合、その粒形がやや大型であることもあり、その一房の全体が一目でわかるようにこれを収納した容器自体を平台や棚板上で立てることでその商品性を購買者、顧客にアピールできるようにしている。
【０００４】
こうした事情から、平台や傾斜していない棚板等に容器を並べる場合に、商品内容をアピールできるように、食品等を収納した容器自体を立てられるようにしたり、傾斜できるようにしたりすることで容器内の食品等を簡単に見ることができるようにした包装容器も提案されている。例えば特許文献１に示される立て置き可能なトレイ型食品容器であり、特許文献２に示される食品陳列用トレーであり、特許文献３に示される陳列保管容器である。
【０００５】
特許文献１の容器は、容器本体の開口部に形成したフランジ縁と容器本体の底部縁とによって支持した状態で容器自体を立てられるようにしている。特許文献２のトレーは、容器本体の底部に突出形成した脚部によって容器本体を傾斜支持できるようにしている。特許文献３の容器は、側面から見てほぼ直角三角形状を呈している容器本体と蓋体とを嵌合可能に開閉揺動自在に連結すると共に、相互間で閉じ合わせたときには側面から見て菱形状を呈するようにし、内部に食品等を立てて収納配列するようにして成る。
【先行技術文献】
【特許文献】
【０００６】
【特許文献１】登録実用新案第３０５２６８３号公報
【特許文献２】登録実用新案第３１１５０３２号公報
【特許文献３】ＵＳ８，２１５，４８５Ｂ２号明細書
【発明の概要】
【発明が解決しようとする課題】
【０００７】
ところが特許文献１の容器では、容器自体が深くはなく浅底状であるから、立てた場合にフランジ縁と底部縁との間隔が大きくはないので安定性に欠け、僅かな外力によって簡単に倒れてしまう。また特許文献２のトレーは、浅底状であって脚部自体の高さが低いために、トレー全体としても僅かな角度で起き上がり状になるにすぎず、例えば棚板上で配置するとしてもそのスペースは大きくならざるを得ない。特許文献３の容器は、容器本体内を視認できるように立てるとき、容器の嵌合部縁と容器本体側壁に形成してある傾斜面の上下縁との３箇所にて支持するにすぎないから、収納商品が重量的に嵩張る場合では立てたときの安定性は十分ではない。
【０００８】
そこで本発明は叙上のような従来存した諸事情に鑑み創出されたもので、例えばマスカット、巨峰等の葡萄の重量的にやや嵩張る商品を収納支持した状態で立てて陳列する場合、その支持安定性を一層増大させて例えば外力によっても簡単には倒れないようにし、また狭い陳列スペースであっても有効に利用でき、商品性を購買者、顧客等に大きくアピールできるようにした立て置き可能な食品包装容器を提供することにある。
【課題を解決するための手段】
【０００９】
上述した課題を解決するため、本発明にあっては、平面から見て適宜な幅員の短辺を備えた縦長状の開口部に補強フランジ２を有する容器本体１を形成し、この容器本体１の底部におけるいずれか一方の短辺側に沿って、短辺の幅員に相当する幅員で外方に突出させた立脚支持部４を形成すると共に、この立脚支持部４を形成した短辺側の側壁に容器本体１の内方側に窪ませた立脚補助支持部５の上下縁を鈍角状の接地端６として形成し、補強フランジ２の縁部、上下の接地端６、立脚支持部４の底角部外側縁の４点を同一の線上に配列してあることを特徴とする。
容器本体１の開口部は、短辺の両隅部を斜状に面取りすることで縦長八角形状に形成されて構成することができる。
立脚補助支持部５は、短辺側の側壁それぞれに対称的に配置形成して、また、断面で円弧状に彎曲形成することで構成することができる。
立脚支持部４、立脚補助支持部５は、容器本体１の幅員方向における底部幅員、側壁幅員とほぼ同幅員として構成することができる。
【００１０】
以上のように構成された本発明に係る立て置き可能な食品包装容器にあって、容器本体１の底部に形成した立脚支持部４を下側にして容器本体１を立てたとき、補強フランジ２の縁部、立脚支持部４の底部縁、この立脚支持部４の短辺側の側壁の立脚補助支持部５の上下の接地端６の計４点を載置面に接地させて立てさせる。
立脚支持部４の幅員は容器本体１の底部の幅員と、立脚補助支持部５の幅員は側壁の幅員と、それぞれほぼ同幅員としてあり、立脚支持部４、立脚補助支持部５それぞれによる立て置き時の接地状態を安定化させる。
容器本体１の内方側に彎曲形成された立脚補助支持部５は、容器本体１の側壁の強度を高め、容器本体１内に収納した葡萄Ｇ等の重量によっても撓ませられず、立脚支持部４と共に立て置き時の容器本体１の保形性を維持させる。
【発明の効果】
【００１１】
本発明は以上説明したように構成されているため、例えば葡萄Ｇ等を収納した状態で容器本体１を立て置き状に配置、配列でき、収納した商品等を一覧的に購買者、顧客等に見せることができ、また立て置き時には４点で接地支持することでその安定性を向上でき、しかも立てた状態では配置スペースが小さくなることで効率的に陳列配置できる。
【００１２】
すなわちこれは本発明において、縦長状の開口部に補強フランジ２を有する容器本体１の底部に立脚支持部４を形成すると共に、この立脚支持部４側の容器本体１の側壁に窪ませた立脚補助支持部５の上下縁を接地端６として形成し、補強フランジ２の縁部、上下の接地端６、立脚支持部４の底角部外側縁の４点を同一の線上に配列してあるからである。これによって、収納した商品例えば葡萄Ｇ等を見せるように容器本体１を立てたときの支持安定性を向上でき、また陳列時の配置スペースを有効に利用できるのである。
【００１３】
また、立脚支持部４、立脚補助支持部５は、容器本体１の幅員方向における底部幅員、側壁幅員とほぼ同幅員としてあることで、立脚支持部４によって容器本体１を立て置き状態としたとき、側方への傾斜、倒立等をも防止する。
【００１４】
容器本体１の開口形状を縦長八角形状とすることで、例えばマスカット、巨峰等の葡萄Ｇの一房を体裁よく収納でき、立て置き状態で陳列することで、商品内容を一覧的に購買者等に見せることができる。
【００１５】
容器本体１の底部で外方に突出させた立脚支持部４、側壁で内方に窪ませた立脚補助支持部５によって容器本体１を補強でき、重量的に嵩張る葡萄Ｇ等によっても容器本体１が歪んだり、破損したりすることはない。
【００１６】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１７】
【図１】本発明を実施するための一形態を示す斜視図である。
【図２】同じく立て置きした使用状態の側面図である。
【図３】同じく他の使用状態における側面図である。
【発明を実施するための形態】
【００１８】
以下、図面を参照して本発明を実施するための一形態を説明すると、図において示される符号１は例えば透明な合成樹脂製薄膜シート材によって成型された容器本体であり、この容器本体１は、例えばマスカット、巨峰等の一房の葡萄Ｇを収納させるに足りるように、平面から見て縦長八角形状となっている所定の幅員、長さ、深さ等に設定されて形成されている。
【００１９】
図示のように容器本体１自体は、縦長の長方形状における短辺側の両隅部を斜状に面取りして傾斜縁とすることで平面から見た全体が縦長八角形状に形成されていると共に、周囲の短辺、長辺、更に傾斜辺それぞれの側壁は開口部から底部に至るに伴い次第に窄まり状となる傾斜壁となっている。そして、容器本体1は、収納する例えば一房の葡萄Ｇの外形に沿い、また一房の葡萄Ｇを収納するに足りる内容積を有しており、容器本体1の開口部縁には折り返し状にした補強フランジ２が形成されている。尚、収納される食品は葡萄Ｇに限らないことは勿論である。
【００２０】
また、容器本体１の側壁の全域には、例えば深さ方向に沿う複数本の溝状の補強溝３が形成されている。
【００２１】
容器本体１のいずれか一方の短辺側の側壁に沿って、容器本体１の底部における幅員に相当する幅員で、容器本体１の外方に突出させることで脚部状の立脚支持部４を形成してある。この立脚支持部４を形成してある側の短辺の傾斜側壁には、容器本体1の内方側に僅かに円弧状に窪ませた立脚補助支持部５を形成してあり、この立脚補助支持部５の上下縁部は傾斜側壁と鈍角状の接地端６を介して連続している。
【００２２】
なお、図示例の容器本体１にあっては、相対向している短辺の傾斜側壁それぞれに立脚補助支持部５を形成してあり、こうすることで短辺における傾斜側壁の補強を一層増大させることができる。
【００２３】
前記補強フランジ２の縁部、立脚補助支持部５の上下の接地端６、立脚支持部４の底部外縁の４箇所は同一の線上に位置するように配列形成されており、立脚支持部４側の短辺を下方に向けて容器本体１を立てたとき（図２参照）、載置面にこれらの４点が接地することで容器本体１を立てられるようにしている。このとき、容器本体１の起き上がり角度は、設置面に対して例えばほぼ５７度前後としてあるも、これに限定されず、収納した葡萄Ｇ等の重量によって容器本体１自体が後方に倒れることがないようにしている。
【００２４】
また、立脚支持部４を後方側に位置させた状態で容器本体１を立てることもでき、この場合は容器本体１を僅かに起き上がらせるように傾斜したものとなり、設置面との角度は例えばほぼ１５度前後とされる（図３参照）。
【００２５】
次にこれの使用の一例を説明すると、例えば葡萄Ｇの一房を容器本体１内に収納し、必要あれば適宜に施蓋した状態として店頭等に陳列するのであり、立脚支持部４を下側にして、すなわち前方側に位置させて容器本体１を立てるように載置面に置くことで、収納した商品である葡萄Ｇ等を一覧的に購買者等に見せることができる。このとき、容器本体１自体は、補強フランジ２の縁部、立脚補助支持部５の上下の接地端６、立脚支持部４の底部外縁の計４箇所によって載置面に接地されるから、容器本体１が立てられた状態を安定的に維持される。
【００２６】
しかも、容器本体１を立てることでこれの載置面積を小さくできるから、陳列スペースの単位面積当たりの配置個数を倍加できる（図２参照）。
【００２７】
あるいは、立脚支持部４を後方側に位置させた容器本体１をいくらか起き上がらせるようにして載置面におくのであり、容器本体１は底角部外側面と、立脚支持部４の底部外側面との２点で容器本体１の傾斜陳列状態を維持する。この場合、容器本体１は設置面から僅かな角度で起き上がり状であるため、単位面積当たりの配置個数に変動はない。
【００２８】
なお、いずれの立ち上がりあるいは起き上がり形態を選択するかは、収納した商品内容、配置面積の大小その他によって適宜に選択される。
【符号の説明】
【００２９】
Ｇ…葡萄
１…容器本体
２…補強フランジ
３…補強溝
４…立脚支持部
５…立脚補助支持部
６…接地端
【図１】
2020196519.tif 000003
【図２】
2020196519.tif 000004
【図３】
2020196519.tif 000005